(57)【特許請求の範囲】
【請求項１】
車両に搭載される燃料タンクと、
前記燃料タンクよりも前方に搭載される二次電池と、
前記燃料タンク内の蒸散燃料を吸着するキャニスタとを備え、
前記キャニスタは、前記二次電池と前記燃料タンクとの間に配置され、車両の幅方向の中心を通り前後方向に延びる中心線に対して排気管とは反対側に配置され、
前記キャニスタの大気開放口は、前記二次電池よりも上方に配置されている
ことを特徴とする蒸散燃料処理装置。
【請求項２】
請求項１に記載する蒸散燃料処理装置において、
前記二次電池は角が面取りされた面取り部を備え、
前記キャニスタは前記燃料タンクと前記面取り部との間に形成される隙間に配置される
ことを特徴とする蒸散燃料処理装置。
【請求項３】
請求項１又は請求項２に記載する蒸散燃料処理装置において、
前記キャニスタは、車両の前後方向に延設される一対のサイドメンバの間に配置されている
ことを特徴とする蒸散燃料処理装置。
【請求項４】
請求項１から請求項３の何れか一項に記載する蒸散燃料処理装置において、
前記二次電池を保持するクロスメンバを備え、
前記キャニスタは、前記クロスメンバよりも後方に配置されている
ことを特徴とする蒸散燃料処理装置。
【請求項５】
請求項１から請求項４の何れか一項に記載する蒸散燃料処理装置において、
前記燃料タンクよりも後方に配置されたリアクロスメンバを備え、
前記キャニスタは、前記リアクロスメンバよりも前方に配置されている
ことを特徴とする蒸散燃料処理装置。
【請求項６】
請求項１から請求項５の何れか一項に記載する蒸散燃料処理装置において、
車両のフロアパネルの一部であって後方に向かって上方に傾斜したキックアップ部を備え、
前記キャニスタは、前記フロアパネルの下面側であって前記キックアップ部よりも後方側に設けられている
ことを特徴とする蒸散燃料処理装置。
【発明の詳細な説明】
【技術分野】
【０００１】
本発明は、燃料タンクで生じた蒸散燃料を処理する蒸散燃料処理装置に関する。
【背景技術】
【０００２】
燃料タンク内に生じた蒸散燃料は大気汚染の原因となることから、エンジンを搭載した車両には、一般的に、蒸散燃料の大気中への排出を抑制するための蒸散燃料処理装置が搭載されている。蒸散燃料処理装置は、例えば、燃料タンクとエンジンの吸気系とをキャニスタを備えたパージ管路で接続し、燃料タンク内で発生した蒸散燃料をキャニスタ内の活性炭に一旦吸着させると共に、エンジンの吸気負圧に応じて活性炭で吸着した燃料をエンジンの吸気系に導入して新気と共に燃焼させるものである。また、キャニスタは、エンジンからの熱を利用することで蒸散燃料の脱離を促進するために、エンジンルームに配置されることがある。
【０００３】
また、近年では、例えば、プラグインハイブリッド自動車（ＰＨＥＶ）や、ハイブリッド自動車（ＨＥＶ）等のように、エンジンと共に走行用モータ及び二次電池を備えた車両が実用化されている（例えば、特許文献１参照）。
【０００４】
このような車両では、エンジン及び二次電池を搭載するため、レイアウトスペースが限られてくる。このような制約の下では、キャニスタをエンジンルーム以外に配置することが検討されている。例えば、特許文献１には、キャニスタが燃料タンクと二次電池との間に配置されている。
【０００５】
キャニスタをエンジンルーム以外に配置する場合では、衝突時の衝撃や走行時に飛散してくる小石などからキャニスタを保護する必要がある。また、衝突などで、万が一、キャニスタが破損して燃料漏れが生じることを想定すると、キャニスタを、熱源となる排気管の近傍に配置することは好ましいとはいえない。上述した特許文献１では、このような衝撃や排気管の影響を考慮してキャニスタを配置したものではない。
【先行技術文献】
【特許文献】
【０００６】
【特許文献１】特許第５０５６９５７号公報
【発明の概要】
【発明が解決しようとする課題】
【０００７】
本発明は、上記事情に鑑み、キャニスタからの燃料漏れをより確実に防止することができる蒸散燃料処理装置を提供することを目的とする。
【課題を解決するための手段】
【０００８】
上記課題を解決する本発明の第１の態様は、車両に搭載される燃料タンクと、前記燃料タンクよりも前方に搭載される二次電池と、前記燃料タンク内の蒸散燃料を吸着するキャニスタとを備え、前記キャニスタは、前記二次電池と前記燃料タンクとの間に配置され、車両の幅方向の中心を通り前後方向に延びる中心線に対して排気管とは反対側に配置され、前記キャニスタの大気開放口は、前記二次電池よりも上方に配置されていることを特徴とする蒸散燃料処理装置にある。
【０００９】
第１の態様では、車両が衝突する際に生じる前後方向の衝撃によりキャニスタが破損することを抑制することができ、キャニスタからの燃料漏れをより確実に防止することができる。
【００１０】
また、キャニスタが中心線に対して排気管とは反対側に配置されている。これにより、万が一、キャニスタから燃料が漏れたとしても、熱源から遠いので発火のリスクを低減することができる。
また、キャニスタが二次電池よりも上方に位置していることで、二次電池でキャニスタの底面側を保護することができる。このような構成とすることで、車両の走行時に小石などの飛散物がキャニスタにまで到達しにくくすることができる。したがって、飛散物の衝突でキャニスタが破損することをより確実に防止することができる。
本発明の第２の態様は、第１の態様に記載する蒸散燃料処理装置において、前記二次電池は角が面取りされた面取り部を備え、前記キャニスタは前記燃料タンクと前記面取り部との間に形成される隙間に配置されることを特徴とする蒸散燃料処理装置にある。
第２の態様では、車両が前方から衝突したとき、二次電池が燃料タンクに接触するまで押し込まれても隙間を潰さずに残すことが可能となる。これにより、キャニスタが二次電池と燃料タンクとで挟まれて破損する可能性を低減することができる。
【００１１】
本発明の第３の態様は、第１又は第２の態様に記載する蒸散燃料処理装置において、前記キャニスタは、車両の前後方向に延設される一対のサイドメンバの間に配置されていることを特徴とする蒸散燃料処理装置にある。
【００１２】
第３の態様では、車両の側方からの衝突時における衝撃からキャニスタをより確実に保護することができる。
【００１３】
本発明の第４の態様は、第１から第３の何れか一つの態様に記載する蒸散燃料処理装置において、前記二次電池を保持するクロスメンバを備え、前記キャニスタは、前記クロスメンバよりも後方に配置されていることを特徴とする蒸散燃料処理装置にある。
【００１４】
第４の態様では、車両の前方からの衝撃によりキャニスタが破損することを、より確実に防止することができる。
【００１５】
本発明の第５の態様は、第１から第４の何れか一つの態様に記載する蒸散燃料処理装置において、前記燃料タンクよりも後方に配置されたリアクロスメンバを備え、前記キャニスタは、前記リアクロスメンバよりも前方に配置されていることを特徴とする蒸散燃料処理装置にある。
【００１６】
第５の態様では、車両の後方からの衝撃によりキャニスタが破損することを、より確実に防止することができる。
【００１７】
本発明の第６の態様は、第１から第５の何れか一つの態様に記載する蒸散燃料処理装置において、車両のフロアパネルの一部であって後方に向かって上方に傾斜したキックアップ部を備え、前記キャニスタは、前記フロアパネルの下面側であって前記キックアップ部よりも後方側に設けられていることを特徴とする蒸散燃料処理装置にある。
【００１８】
第６の態様では、車両の底面側からの飛散物によるキャニスタの破損をより確実に防止することができる。
【発明の効果】
【００２２】
本発明によれば、キャニスタからの燃料漏れをより確実に防止することができる蒸散燃料処理装置が提供される。
【図面の簡単な説明】
【００２３】
【図１】本実施形態に係る蒸散燃料処理装置の概略構成を示す図である。
【図２】蒸散燃料処理装置を示す平面図である。
【図３】蒸散燃料処理装置を示す側面図である。
【発明を実施するための形態】
【００２４】
〈実施形態１〉
以下、本発明を実施するための形態について説明する。なお、実施形態の説明は例示であり、本発明は以下の説明に限定されない。
【００２５】
図１は、本実施形態に係る蒸散燃料処理装置の概略構成を示す図である。本実施形態に係る蒸散燃料処理装置は、例えば、プラグインハイブリッド自動車等の車両に搭載され、エンジンに供給する燃料が貯留される燃料タンク内に発生する蒸散燃料を大気中に排出されるのを抑制するための装置である。
【００２６】
蒸散燃料処理装置１０は、活性炭が封入され燃料タンク１００で発生した蒸散燃料を吸着するキャニスタ１２を備える。キャニスタ１２は、ベーパ配管１４によって燃料タンク１００と接続されている。詳しくは、ベーパ配管１４は、その一端が燃料タンク１００内に配置され、他端がキャニスタ１２に接続されている。
【００２７】
燃料タンク１００内に設けられているレベリングパイプ１０６は、給油時に燃料タンク１００内の燃料の液面を制御する。ロールオーバーバルブ１０８は、フロート弁の作用により燃料タンク１００から外部への燃料の流出を防止し、２ウェイバルブ１１０は、燃料タンク１００が満タンに近い状態での給油における給油量を制限する。ロールオーバーバルブ１０８、及び２ウェイバルブ１１０は既存の構成であるため、ここでの詳細な説明は省略する。さらに燃料タンク１００には、燃料配管１１４を介してエンジン１０２の燃料噴射弁（図示なし）に供給する燃料ポンプ１１６が設けられている。
【００２８】
キャニスタ１２は、パージ配管２０を介してエンジン１０２の吸気通路１０４に接続されている。すなわち本実施形態では、燃料タンク１００は、ベーパ配管１４とパージ配管２０とによってエンジン１０２の吸気通路１０４に接続されている。パージ配管２０には、例えば、エンジン１０２側の端部近傍に、パージ配管２０を開閉するパージバルブ２２が設けられている。
【００２９】
また、キャニスタ１２には、外部に連通する大気開放口１２ａが上面に設けられている。この大気開放口１２ａにはベント配管２６が接続されている。このベント配管２６を介してキャニスタ１２が外気に連通している。またパージバルブ２２は、いわゆる常時閉タイプの電磁弁で構成されている。
【００３０】
燃料タンク１００には、燃料タンク１００内に燃料を供給するためのフィラーパイプ１２０が接続されている。そして、このフィラーパイプ１２０の燃料タンク１００とは反対側の端部に給油口１２２が設けられている。給油口１２２は、給油口キャップ１２４によって密封可能に構成されている。この給油口１２２は、凹部１２６内に形成されており、凹部１２６の開口は給油口リッド１２８によって開閉可能に構成されている。例えば、本実施形態では、給油口リッド１２８は、ロック機構（図示なし）により閉状態に保持され、車両の運転席に設けられた開放スイッチ１５０の操作によりロック機構が解除されて開状態となるように構成されている。
【００３１】
ＥＣＵ１３０は、入出力装置、制御プログラムや制御マップ等の記憶を行う記憶装置、中央処理装置及びタイマやカウンタ類を備え、各種センサ類からの情報に基づいて、蒸散燃料処理装置１０を含むエンジン１０２の総合的な制御を行っている。
【００３２】
また、特に図示しないが、車両は、二次電池であるバッテリと、このバッテリからの電力供給により作動する走行用モータ（駆動装置）とを備える。走行用モータは、駆動機構を介して駆動輪に連結されている。走行用モータは、駆動機構を介して駆動輪を駆動させる一方、いわゆる回生動作時には、駆動輪からの回転を受けて発電し、その電力をバッテリに供給する。また、バッテリは外部の電源から充電可能となっている。ＥＣＵ１３０は、走行用モータの動作（出力）、すなわちバッテリから走行用モータの電力供給を適宜制御する。
【００３３】
図２及び図３を用いて、蒸散燃料処理装置１０を構成する燃料タンク１００、バッテリ１４０、キャニスタ１２等の配置について詳細に説明する。図２は蒸散燃料処理装置１０を示す平面図であり、図３は蒸散燃料処理装置１０を示す側面図である。なお、図２は、車両のフロアパネルの図示を省略してある。また、Ｘ方向は自動車の車幅方向、Ｙ方向は自動車の前後方向、Ｚ方向は自動車の高さ方向を表している。
【００３４】
車両は、車両下部の骨格をなす車体フレーム３０を備えている。車体フレーム３０は、車両の前後方向に延びる部材として、フロントサイドメンバ４０、サイドシル５０及びリアサイドメンバ６０を何れも左右一対ずつ備えている。また、車体フレーム３０は、車幅方向に延びる部材として、フロントクロスメンバ（図示せず）、フロントフロアサイドブレース７０、第１リアクロスメンバ７１、第２リアクロスメンバ７２及び第３リアクロスメンバ７３を備えている。
【００３５】
なお、フロントサイドメンバ４０及びリアサイドメンバ６０は請求項のサイドメンバの一例であり、第２リアクロスメンバ７２及び第３リアクロスメンバ７３は請求項のリアクロスメンバの一例である。
【００３６】
上述した各部材は、横断面（各部材の長手方向に垂直な平面で切断した面）あるいは接合するフロアパネル９０等と合体した横断面が矩形状の閉断面形状を形成するように、例えば鋼板がプレス加工されたものである。
【００３７】
左右一対のフロントサイドメンバ４０は、車両の前部から中央部に亘って車幅方向に互いに離隔して配設されている。フロントサイドメンバ４０の後端側は、第１リアクロスメンバ７１に接続されている。また、車体フレーム３０の前部においては、一対のフロントサイドメンバ４０の間にフロントクロスメンバ（図示せず）が架設されている。
【００３８】
左右一対のフロントサイドメンバ４０の車幅方向の外側には、左右一対のサイドシル５０が設けられている。各サイドシル５０は、フロントサイドメンバ４０に対して車幅方向において離隔して配置されている。これらのサイドシル５０とフロントサイドメンバ４０とは、複数のフロントフロアサイドブレース７０により接続されている。
【００３９】
一対のサイドシル５０の後部には、一対のリアサイドメンバ６０が車幅方向に互いに離隔して配設されている。各リアサイドメンバ６０は、車体フレーム３０の後方側を構成しており、前方から順に、傾斜部６１及び水平部６２を有している。
【００４０】
傾斜部６１は、後方に向かって車体中心側且つ上方に傾斜した部位であり、前端部が対応するサイドシル５０の上面に結合されている。水平部６２は、傾斜部６１に連続し、前後方向に沿って略水平に延設された部位である。
【００４１】
一対のリアサイドメンバ６０の間には、第１リアクロスメンバ７１が架設されている。第１リアクロスメンバ７１は、左右端部が各リアサイドメンバ６０に結合されている。また、第１リアクロスメンバ７１は、各フロントサイドメンバ４０の上面に結合されている。第１リアクロスメンバ７１は上方に凸となった弧状に形成され、バッテリ１４０の上方を跨いで配置されている。
【００４２】
第１リアクロスメンバ７１から後方に所定間隔を空けて離れた位置には、第２リアクロスメンバ７２が配設されている。さらに第２リアクロスメンバ７２から後方に所定間隔を空けて離れた位置には第３リアクロスメンバ７３が配設されている。第２リアクロスメンバ７２及び第３リアクロスメンバ７３の左右端部は、各リアサイドメンバ６０に接続されている。また、特に図示しないが、第２リアクロスメンバ７２及び第３リアクロスメンバ７３上には、後輪に取り付けられる走行用モータが設置されている。
【００４３】
サイドシル５０、フロントフロアサイドブレース７０、リアサイドメンバ６０の上面には、車両の床面を構成するフロアパネル９０が設けられている。また、フロアパネル９０は、フロアパネル９０の一部を構成するキックアップ部９５を備えている。キックアップ部９５は、後方に向けて上方に傾斜したフロアパネル９０の一部である。本実施形態では、第１リアクロスメンバ７１の近傍からキャニスタ１２よりも前方までの間において、キックアップ部９５が後方に向けて上方に傾斜している。また、フロアパネル９０のうち、キックアップ部９５よりも前方側を第１フロアパネル部９１、キックアップ部９５よりも後方側を第２フロアパネル部９２と称する。
【００４４】
上述した構成の車体フレーム３０には、燃料タンク１００、バッテリ１４０、及びキャニスタ１２等が取り付けられている。
【００４５】
燃料タンク１００は、平面視で、第１リアクロスメンバ７１、第２リアクロスメンバ７２及び一対のリアサイドメンバ６０によって囲まれた空間内に配置されている。また、燃料タンク１００は、キックアップ部９５よりも後方側の第２フロアパネル部９２の下方に配置されている。燃料タンク１００は、特に図示しないが、第２リアクロスメンバ７２やフロアパネル９０等に固定されている。
【００４６】
燃料タンク１００は、燃料タンク１００の下側を構成する第１タンク部１００ａと、上側を構成する第２タンク部１００ｂとを備えている。第２タンク部１００ｂは、第１タンク部１００ａの上面から突出しており、第１タンク部１００ａと第２タンク部１００ｂとで、燃料タンク１００の上部に段差部１００ｃが形成されている。キャニスタ１２に接続されたベーパ配管１４は、この段差部１００ｃの上方で下方に向けて屈曲し、第１タンク部１００ａに接続されている。
【００４７】
バッテリ１４０は、フロアパネル９０の下方において、平面視でフロントクロスメンバ（図示せず）、フロントサイドメンバ４０、及び第１リアクロスメンバ７１によって囲まれた空間内に固定されている。
【００４８】
具体的には、バッテリ１４０は、バッテリ１４０をフロントサイドメンバ４０に取り付けるための部材であるクロスメンバ８０を備えている。各クロスメンバ８０は、Ｘ方向の一端がバッテリ１４０の側面に固定され、Ｘ方向の他端がフロントサイドメンバ４０の下面側に固定されている。本実施形態では、バッテリ１４０のＸ方向の両側に４個ずつＹ方向に所定の間隔を置いて配置されている。このようなクロスメンバ８０を介して、バッテリ１４０は、フロントサイドメンバ４０に固定されている。
【００４９】
また、バッテリ１４０は、平面視で角が面取りされている。本実施形態では、バッテリ１４０は、４つの角が全て面取りされた面取り部１４１を有している。なお、面取り部１４１は４つの角全てに設けられている必要はない。
【００５０】
このようなバッテリ１４０は、燃料タンク１００よりも前方に配置されている。このような配置とすることで、燃料タンク１００とバッテリ１４０との間には、隙間が形成されている。特に、本実施形態では、バッテリ１４０には面取り部１４１が形成されているため、バッテリ１４０の後端側の面取り部１４１と、燃料タンク１００の側面とにより、平面視で三角形状の隙間Ｓが形成されている。
【００５１】
なお、本実施形態では燃料タンク１００とバッテリ１４０とは、前後に離隔しているが、このような態様に限定されない。バッテリ１４０が燃料タンク１００よりも前方に搭載されているとは、バッテリ１４０が燃料タンク１００に平面視で一部重なる又は接触している態様も含む。例えば、バッテリ１４０が燃料タンク１００に一部重なる又は接触していても、面取り部１４１を設けるなどして、キャニスタ１２が収納できる隙間Ｓを設けてあればよい。
【００５２】
このような燃料タンク１００とバッテリ１４０との間の隙間Ｓには、キャニスタ１２が配置されている。キャニスタ１２が燃料タンク１００とバッテリ１４０との間に配置されるとは、本実施形態のように、平面視で燃料タンク１００及びバッテリ１４０には重ならないような配置である場合の他に、平面視で燃料タンク１００やバッテリ１４０にキャニスタ１２の一部が重なるように配置された場合も含む。
【００５３】
また、キャニスタ１２は、バッテリ１４０よりも上方に配置されている。キャニスタ１２がバッテリ１４０よりも上方に配置されているとは、本実施形態のようにバッテリ１４０よりも完全に上方に配置されている場合の他に、高さ方向においてキャニスタ１２が一部バッテリ１４０に重なるように配置された場合も含む。
【００５４】
キャニスタ１２は、ブラケット１７を介してフロアパネル９０に固定されている。本実施形態では、キャニスタ１２は、フロアパネル９０のうちキックアップ部９５よりも後方側の第２フロアパネル部９２にブラケット１７を介して固定されている。
【００５５】
また、図２に示すように、車両には、エンジン（図示せず）からの排気を車両の後方に排出する排気管１８が設けられている。キャニスタ１２は、中心線Ｌに対して排気管１８とは反対側に配置されている。中心線Ｌとは、車両の幅方向（Ｘ方向）の中心を通り前後方向（Ｙ方向）に延びる仮想的な線である。キャニスタ１２と排気管１８とは、この中心線Ｌを挟んで配置されている。
【００５６】
以上に説明したように、本実施形態に係る蒸散燃料処理装置１０は、キャニスタ１２が燃料タンク１００とバッテリ１４０との間に配置されている。すなわち、キャニスタ１２は、前後方向においては燃料タンク１００とバッテリ１４０に囲まれる配置となるので、前後方向の衝撃から保護される。これにより、車両が衝突する際に生じる前後方向の衝撃によりキャニスタ１２が破損することを抑制することができ、キャニスタ１２からの燃料漏れをより確実に防止することができる。
【００５７】
また、本実施形態ではバッテリ１４０は面取り部１４１を有し、隙間Ｓが形成されている。このような構成とすることで、車両が前方から衝突したとき、バッテリ１４０が燃料タンク１００に接触するまで押し込まれても隙間Ｓを潰さずに残すことが可能となる。これにより、キャニスタ１２がバッテリ１４０と燃料タンク１００とで挟まれて破損する可能性を低減することができる。
【００５８】
さらに、キャニスタ１２が、中心線Ｌを中心として、排気管１８とは反対側に配置されている。このような構成とすることで、熱源の排気管１８からキャニスタ１２を離すことができる。これにより、万が一、キャニスタ１２から燃料が漏れたとしても、熱源から遠いので発火のリスクを低減することができる。
【００５９】
本実施形態に係る蒸散燃料処理装置１０は、キャニスタ１２が一対のフロントサイドメンバ４０及びリアサイドメンバ６０の間に配置されている。このような構成とすることで車両の側方からの衝突時における衝撃からキャニスタ１２をより確実に保護することができる。
【００６０】
本実施形態に係る蒸散燃料処理装置１０は、キャニスタ１２がクロスメンバ８０より後方に配置されている。このような構成とすることで、キャニスタ１２の前方をクロスメンバ８０により保護することができる。これにより、車両の前方からの衝撃によりキャニスタ１２が破損することを、より確実に防止することができる。
【００６１】
本実施形態に係る蒸散燃料処理装置１０は、キャニスタ１２が第２リアクロスメンバ７２及び第３リアクロスメンバ７３（請求項のリアクロスメンバ）よりも前方に配置されている。このような構成とすることで、キャニスタ１２の後方を第２リアクロスメンバ７２及び第３リアクロスメンバ７３により保護することができる。これにより、車両の後方からの衝撃によりキャニスタ１２が破損することを、より確実に防止することができる。
【００６２】
本実施形態に係る蒸散燃料処理装置１０は、キックアップ部９５よりも前方にバッテリ１４０が配置され、キックアップ部９５よりも後方にキャニスタ１２が配置されている。このような構成とすることで、キャニスタ１２をバッテリ１４０よりも更に離して上方に配置することができる。これにより、車両の底面側からの飛散物によるキャニスタ１２の破損をより確実に防止することができる。
【００６３】
本実施形態に係る蒸散燃料処理装置１０は、キャニスタ１２がバッテリ１４０よりも上方に位置していることで、バッテリ１４０でキャニスタ１２の底面側を保護することができる。このような構成とすることで、車両の走行時に小石などの飛散物が隙間Ｓに飛び込み、キャニスタ１２にまで到達しにくくすることができる。したがって、飛散物の衝突でキャニスタ１２が破損することをより確実に防止することができる。
【００６４】
また、キャニスタ１２がバッテリ１４０よりも上方には配置されているものの、平面視では燃料タンク１００とバッテリ１４０との隙間Ｓに配置されている。このような配置とすることで、車両の底面側から見たとき、キャニスタ１２は他の部材に遮られない。このため、車両のメンテナンス時などにおいて、キャニスタ１２に対する作業性を確保することができる。
【００６５】
さらに、キャニスタ１２の大気開放口１２ａは、バッテリ１４０よりも上方に位置している。特に本実施形態では、キックアップ部９５より後方にキャニスタ１２を配置したので、キックアップ部９５よりも上方に位置する第２フロアパネル部９２にキャニスタ１２が取り付けられている。このように、キャニスタ１２は、フロアパネル９０の下方側のうち、より上方に位置するように取り付けられているので、大気開放口１２ａに水が浸入する虞を低減することができる。
【００６６】
〈他の実施形態〉
以上、本発明の一実施形態について説明したが、本発明は上述の実施形態に限定されるものではない。本発明は、その趣旨を逸脱しない範囲で適宜変更が可能なものである。
【００６７】
例えば、実施形態１の車体フレーム３０に限定されず、任意の車体フレームの構成についても本発明は適用できる。また、燃料タンク１００、キャニスタ１２を接続するベーパ配管１４についても、実施形態１の構成に限定されず、任意のベーパ配管１４の構成についても本発明は適用できる。さらに、ベーパ配管１４には、ベーパ配管１４を開閉する密閉弁を設けてもよい。エンジン１０２の停止時等において密閉弁を閉鎖することで、キャニスタ１２に蒸散燃料が吸着されることを抑制することができる。これにより、キャニスタパージを目的としたエンジン１０２の始動を不要とすることができ、又は始動頻度を低減することができるので、燃費を向上させることができる。
【００６８】
また、キャニスタ１２の構成は実施形態１の構成に限定されない。また大気開放口１２ａはバッテリ１４０よりも上方に位置している必要はない。
【００６９】
また、燃料タンク１００は、第１タンク部１００ａと第２タンク部１００ｂとから構成された形状であったが、これに限定されない。
【００７０】
また、フロアパネル９０は、キックアップ部９５を含んでいたが、このような構成に限定されず、キックアップ部９５を含まない任意の形状のフロアパネル９０であっても本発明は適用できる。
【産業上の利用可能性】
【００７１】
本発明は、自動車の産業分野で利用することができる。
【符号の説明】
【００７２】
１０   蒸散燃料処理装置
１２   キャニスタ
１２ａ  大気開放口
１４   ベーパ配管
１８   排気管
２０   パージ配管
３０   車体フレーム
４０   フロントサイドメンバ（サイドメンバ）
５０   サイドシル
６０   リアサイドメンバ（サイドメンバ）
７０   フロントフロアサイドブレース
７１   第１リアクロスメンバ
７２   第２リアクロスメンバ（リアクロスメンバ）
７３   第３リアクロスメンバ（リアクロスメンバ）
８０   クロスメンバ
９０   フロアパネル
９５   キックアップ部
１００ 燃料タンク
１０２ エンジン
１４０ バッテリ（二次電池）
【図１】
0006687880.tif 000002
【図２】
0006687880.tif 000003
【図３】
0006687880.tif 000004